(57)【要約】【課題】より高性能の電柱保護用品を提供することである。【解決手段】電柱被覆シート１は、絶縁材料により形成され、電柱Ａの頭部を少なくとも被覆するための電柱被覆シートである。  そして、電柱被覆シート１の少なくとも一部には、円筒形状を有する円筒状シート部３を含み、円筒状シート部３は、電柱Ａの頭部の円周の長さよりも短い円周３１ａである第１円周部３１と、第１円周部３１と連接し、電柱Ａの頭部の円周の長さと略同等の円周３２ａである第２円周部３２と、第２円周部３２と連接し、電柱Ａの頭部の円周の長さよりも長い円周３３ａである第３円周部３３と、からなる。【選択図】図１
2019157510.tif 000002
【特許請求の範囲】
【請求項１】
絶縁材料により形成され、電柱の頭部を少なくとも被覆するための電柱被覆シートであって、
前記電柱被覆シートの少なくとも一部には、円筒形状を有する円筒状シート部を含み、
前記円筒状シート部は、
前記電柱の頭部の円周の長さよりも短い円周である第１円周部と、
前記第１円周部と連接し、前記電柱の頭部の円周の長さと略同等の円周である第２円周部と、
前記第２円周部と連接し、前記電柱の頭部の円周の長さよりも長い円周である第３円周部と、からなることを特徴とする、電柱被覆シート。
【請求項２】
前記円筒状シート部は、
１枚の前記シートの両端部を繋ぎ合わせ、
繋ぎ合わせた繋合部を、絶縁材料からなる被覆部材で被覆することにより形成される、ことを特徴とする、請求項１に記載の電柱被覆シート。
【請求項３】
前記円筒状シート部は、
前記繋合部を、該繋合部を挟んだ左側または右側のいずれか一方側の非繋合部と重畳させた繋合重畳部を形成し、
前記被覆部材により、前記繋合重畳部を被覆することにより形成される、ことを特徴とする、請求項２に記載の電柱被覆シート。
【請求項４】
前記第３円周部と連接し、該第３円周部の円周の長さと略同等の長さを有する非円筒状シート部を有することを特徴とする、請求項１〜３のいずれか１項に記載の電柱被覆シート。
【請求項５】
前記第１円周部には、
前記被覆した前記電柱の頭部の内側を被覆するための余裕部を有することを特徴とする、請求項１〜４のいずれか１項に記載の電柱被覆シート。
【請求項６】
絶縁材料からなるシートにより形成され、電柱の頭部を少なくとも被覆するための電柱被覆シートであって、
前記電柱被覆シートは、
円筒形状を有する円筒状シート部と、
前記円筒状シート部と連接する非円筒状シート部と、からなることを特徴とする、電柱被覆シート。
【発明の詳細な説明】
【技術分野】
【０００１】
本発明は、電柱の頭部を被覆する電柱保護シートに関する。
【背景技術】
【０００２】
特許文献１には、電柱の頂部に形が保持される材質で作られた保護キャップ（電柱防護構造体）の技術が開示されている。
【先行技術文献】
【特許文献】
【０００３】
【特許文献１】特開２０１４―０８０８１７号公報
【発明の概要】
【発明が解決しようとする課題】
【０００４】
しかしながら、特許文献１に記載の方法においては、電柱の径及び形状に応じて専用の保護キャップを必要とするという不利益がある。
【０００５】
本発明は、より高性能の電柱保護用品を提供することである。
【課題を解決するための手段】
【０００６】
本発明の第１の観点における電柱被覆シートは、絶縁材料により形成され、電柱の頭部を少なくとも被覆するための電柱被覆シートであって、前記電柱被覆シートの少なくとも一部には、円筒形状を有する円筒状シート部を含み、前記円筒状シート部は、前記電柱の頭部の円周の長さよりも短い円周である第１円周部と、前記第１円周部と連接し、前記電柱の頭部の円周の長さと略同等の円周である第２円周部と、前記第２円周部と連接し、前記電柱の頭部の円周の長さよりも長い円周である第３円周部と、からなる。
【０００７】
好適には、前記円筒状シート部は、１枚の前記シートの両端部を繋ぎ合わせ、繋ぎ合わせた繋合部を、絶縁材料からなる被覆部材で被覆することにより形成される。
【０００８】
好適には、前記円筒状シート部は、前記繋合部を、該繋合部を挟んだ左側または右側のいずれか一方側の非繋合部と重畳させた繋合重畳部を形成し、前記被覆部材により、前記繋合重畳部を被覆することにより形成される。
【０００９】
好適には、前記第３円周部と連接し、該第３円周部の円周の長さと略同等の長さを有する非円筒状シート部を有する。
【００１０】
好適には、前記第１円周部には、前記被覆した前記電柱の頭部の内側を被覆するための余裕部を有する。
【００１１】
本発明の第２の観点における電柱被覆シートは、絶縁材料からなるシートにより形成され、電柱の頭部を少なくとも被覆するための電柱被覆シートであって、前記電柱被覆シートは、円筒形状を有する円筒状シート部と、前記円筒状シート部と連接する非円筒状シート部と、からなる。
【発明の効果】
【００１２】
本発明における電柱被覆シートによって、より使い勝手の良い電柱保護シートを提供することが可能となった。
【図面の簡単な説明】
【００１３】
【図１】本発明の第１の実施形態に係る電柱被覆シートを示す説明図である。
【図２】電柱被覆シートの製造過程を説明することによって、電柱被覆シートの構造を説明する図である。
【図３】図１の、ＩＶａ−ＩＶａ断面、及び、ＩＶｂ−ＩＶｂ断面の説明図である。
【図４】電柱被覆シートの使用方法の説明図である。
【図５】電柱被覆シートを使った場合の、電柱Ａの設置方法である。
【発明を実施するための形態】
【００１４】
＜第１の実施形態＞
図１は、本発明の第１の実施形態に係る電柱被覆シート１を示す説明図である。
【００１５】
電柱被覆シート１は、絶縁材料により形成されている。例えば、各種ゴム素材等である。
また、この電柱被覆シート１は、電柱Ａの頭部にあたる位置を少なくとも被覆するための者である（図５も参照のこと。）。
電柱被覆シート１は、図１の様に、円筒状シート部３と、非円筒状シート部５とを有している。
ここで、円筒状とは、円筒の軸方向において径が同一ではないものも含まれる。つまり、円錐形状も含まれる。
そして、円筒状シート部３は、電柱被覆シート１が使用予定される電柱Ａの直径よりも短い（狭い）小円周３１ａとなっている第１円周部３１を有している。
そして、この第１円周部３１に連接（一体、接合、連結等を含む）された、使用予定される電柱Ａの円周と同一（ほぼ同一も含む）の径である等円周３２ａとなっている第２円周部３２を有している。
さらに、この第２円周部３２に連接（一体、接合、連結等を含む）された、使用予定される電柱Ａの直径とよりも長い（大きい）の径である大円周３３ａとなっている第３円周部３３を有している。
【００１６】
円筒状シート部３及び、非円筒状シート部５とは、図２（ａ）のように、図２中の左側で折りたたんであり、図１において、右側が解放される状態がもともとの形状である。
解放されていない側を、折畳部３８という。
そして、円筒状シート部３の開放側は、電柱の上側に行くに従い、径が狭くなるようにカット部３９が形成されている。
開放側のカット部３９は、被覆部材３５で被覆されている。
また、被覆部材３５は、円筒状シート部３の裏側においても同様に、被覆している。
なお、電柱被覆シート１は、図３のところで説明する外部から見えない内部構造以外は、表裏で左右が逆の同一形状である。
被覆部材３５は、絶縁材料から形成されている。電柱被覆シートの本体と同様の部材であっても良いし、絶縁性能があれば他の部材から形成されていても良い。
被覆部材３５は、短冊状の長方形の部材を長手方向に２つに折って、径を狭くするために斜めにカットしたカット部３９にかぶせるような位置に配置されている。
【００１７】
電柱被覆シート１の本体に対して、表側（図１で表される側）において、被覆部材３５は、電柱の上側にあたる端部側である上側繋合部３５ｃで電柱被覆シート１の本体と繋ぎ合わされている。
そして、被覆部材３５は、電柱の下側にあたる端部側である下側繋合部３５ａで電柱被覆シート１の本体と繋ぎ合わされている。
また、上側繋合部３５ｃの折畳部３８側の端部と、下側繋合部３５ａの折畳部３８側の端部とをつなぐ位置にあたる表側繋合部３５ｂにおいて、同様に、被覆部材３５は電柱被覆シート１の本体と繋ぎ合わされている。
裏側も同様であるため、説明を省略する。
ここで、上側繋合部３５ｃ、表側繋合部３５ｂ及び下側繋合部３５ａにおけるつなぎ合わせは、溶着、接着、縫い合わせ、その他の接合方法を取ることが可能である。
ただし、縫い合わせなどは、材料を厳選しないと絶縁性能に影響を与える。
【００１８】
非円筒状シート部５は、図１の様に、表側の表側非円筒部５ｂと、裏側の裏側非円筒部５ａとが開放側で開放状態のままである。
【００１９】
また、電柱被覆シート頂部３７も、解放されていることが好適である。もっとも、解放されていなくても、十分に必要とされる機能を発揮できる。
さらに、電柱被覆シート下側部３７ａも、解放されている。この電柱被覆シート下側部３７ａが解放されていることは、電柱Ａに電柱被覆シート１を電柱Ａにかぶせるためには必須である。
最後に、図１のような状況で使用することも、裏表逆にして使用することももちろん可能である。
ここで、裏表逆にして使用する場合には、図１は、被覆部材３５の状況を説明するためにこのように説明していることになる。その場合、実際の電柱被覆シート１は、図１の状態に形成した後、表裏を入れ替えて、被覆部材３５が、円筒状シート部３の円筒状の内周面に位置するようにして使用される。
【００２０】
図２は、電柱被覆シート１の製造過程を説明することによって、電柱被覆シート１の構造を説明する図である。
【００２１】
図２（ａ）のように、絶縁性の部材を折畳部３８で折りたたんで、電柱被覆シート１の本体の表裏を重ね合わせる。
そして、開放側の上側について、カット部３９部分を切り取る。
カット部３９は、この実施例では、開放側の長手方向の中央付近の点と、上側の短手方向の中央付近の点とを、通過する直線でカットしている。
そして、電柱被覆シート１の本体の表裏の間のカット部３９の近傍を、カット部３９に沿って、表裏繋合部３６ａで繋ぎ合わせる。
繋ぎ合わせる方法は、上側繋合部３５ｃ、表側繋合部３５ｂ及び下側繋合部３５ａと同様であることが望ましいが、これに限定されない。
【００２２】
次に、図２（ｂ）の様に、表裏繋合部３６ａが形成された部分を含んだ繋合重畳部３６を、表側に折りたたむ。なお、折りたたむ方向が裏側へであっても良いことは言うまでもない。
その上、折り畳み部分に被せるように被覆部材３５を表裏に跨る様に被せる（図３も参照のこと）。
【００２３】
その後、図２（ｃ）のように、電柱被覆シート１の本体の表面と被覆部材３５を、被覆部材３５を上側繋合部３５ｃ、表側繋合部３５ｂ及び下側繋合部３５ａで、繋ぎ合わせる。
電柱被覆シート１の本体の裏面と被覆部材３５も同様に繋ぎ合わせる。
このように、形成された、電柱被覆シート１をそのまま使用することも可能である。
他方、裏表逆（内側の面と、外側の面とを逆）にして、図２（ａ）のような外見をしている状態にして使用することも可能である。
【００２４】
図３は、図１の、ＩＶａ−ＩＶａ断面、及び、ＩＶｂ−ＩＶｂ断面の説明図である。なお、裏表逆にして使用する場合の電柱被覆シート１は、裏表逆になっていることを注意されたい。
【００２５】
図１のＩＶａ−ＩＶａ断面（表側繋合部３５ｂ部分の断面図）は、図３（ａ）のようになっている。
電柱被覆シート１の本体の表側のシートと、裏側のシートとは、表裏繋合部３６ａによって、接合している。
そして、表裏繋合部３６ａが形成された部分を含んだ繋合重畳部３６を、表側に折りたたんでいる。
また、電柱被覆シート１の本体の表側のシートと、繋合重畳部３６よりも、折畳部３８側に位置をずらして、被覆部材３５とが、表側繋合部３５ｂで繋ぎ合わされている。
同様に、電柱被覆シート１の本体の裏側のシートと、繋合重畳部３６よりも、折畳部３８側に位置をずらして、被覆部材３５とが、裏側繋合部３５ｄで繋ぎ合わされている。
【００２６】
図１のＩＶｂ−ＩＶｂ断面（下側繋合部３５ａ部分の断面図）は、下側繋合部３５ａ部によって、接合されている。
【００２７】
このように、表裏繋合部３６ａ位置と表側繋合部３５ｂ（又は裏側繋合部３５ｄ）とが、距離的に十分に離れているために、比較的高い絶縁性能を得ることができる。
また、裏表逆にして使用する場合は、特に以下の効果がある。
裏表逆にして使用する場合は、図３での外側が、電柱Ａに当接することになる。
つまり、被覆部材３５が、電柱Ａに直接当接することになる。
その為、表裏繋合部３６ａは、直接には、電柱Ａに当接しない。この表裏繋合部３６ａは、外力に弱い部分なので、この部分を保護できることから、電柱被覆シート１をより高耐久性にすることができる。
【００２８】
図４は、電柱被覆シート１の使用方法の説明図である。
【００２９】
図４のように、電柱Ａの上側に該当する部分に、電柱被覆シート１を作業員は地上又は柱上で被せる。
より具体的には、電柱被覆シート１を電柱Ａに対して、円筒状シート３部分を被せていき、第２円周部３２部分に電柱Ａの頂部が当接するまで被せる。
そうすると、非円筒状シート部５の表側非円筒部５ｂと、裏側非円筒部５ａが図４の様になる。
その表側非円筒部５ｂと、裏側非円筒部５ａを、着物を着るように、一方を、他方と電柱Ａとの間に、滑り込ませ、他方は、一方の上に巻き付ける方法で、電柱被覆シート１と電柱Ａを一体化することができる。
又は、表側非円筒部５ｂと、裏側非円筒部５ａを、一緒に、電柱Ａに沿って、巻き付けることによって、電柱被覆シート１と電柱Ａを一体化することができる。
さらに、単に、一体化したのみならず、余計な、突出部などがない、電柱Ａの形状を少し大きくするだけの形状で、一体化することができる。
これらの状態で、各種のベルトや、テープ等で、止めることで一体化することを維持することができる。
以上は、地上での取付（被せる）の場合について説明したが、作業員が、電柱、はしご、作業車等に乗った状態で、電柱被覆シート１を被せることも当然に可能である。
【００３０】
また、電柱Ａは、その頭部に蓋がされていない単なる円筒形状となっていることがある。
その場合、電柱被覆シート１の電柱被覆シート頂部３７が空いているので、第１円周部３１部分を、その電柱Ａの内部に押し込むことができる。換言すると、電柱被覆シート頂部３７が空いていないと、押し込むこと自体は不可能ではないが、多くの労力が必要となる。
また、このようにしたことによって、電柱Ａとの一体化、突起物などがないフォルムの同一化をすることができる。
【００３１】
図５は、電柱被覆シート１を使った場合の、電柱Ａの設置方法である。
【００３２】
図５（ａ）の様に、既にある電柱Ａの場合、電気が通電されている電線Ｂが存在する。
このような状態で新たな電柱Ａ１を立てる必要がある場合がある。
この場合に、電線Ｂからの電気が、新たな電柱Ａ１に流れるのを防ぐための物が、電柱被覆シート１である。
図５（ｂ）のように、電柱被覆シート１を新たな電柱Ａ１に被せる。
そして、図５（ｃ）のように、電柱被覆シート１を巻き付ける等して、新たな電柱Ａ１と一体化して、邪魔な突起部分を減らす。
その後、図５（ｄ）の様に、電柱Ａの横に新たな電柱Ａ１を建てる。
この際に、電柱被覆シート１が有ることから、万一、新たな電柱Ａ１と電線Ｂが接触しても、新たな電柱Ａ１に電気が流れることを防止することができる。
また、電柱被覆シート１は、電線Ｂと接触した際に一種の緩衝材としての機能も有しているので、電線Ｂが破損することにも、多少の効果が見込める。
【００３３】
＜実施形態の構成及び効果＞
電柱被覆シート１は、絶縁材料により形成され、電柱Ａの頭部を少なくとも被覆するための電柱被覆シートである。
そして、電柱被覆シート１の少なくとも一部には、円筒形状を有する円筒状シート部３を含み、円筒状シート部３は、電柱Ａの頭部の円周の長さよりも短い小円周３１ａである第１円周部３１と、第１円周部３１と連接し、電柱Ａの頭部の円周の長さと略同等の等円周３２ａである第２円周部３２と、第２円周部３２と連接し、電柱Ａの頭部の円周の長さよりも長い大円周３３ａである第３円周部３３と、からなる。
このような構成を有することから、より高性能の電柱保護用品を提供することが可能となる。
【００３４】
円筒状シート部３は、１枚の前記シートの両端部を繋ぎ合わせ、繋ぎ合わせた表裏繋合部３６ａを、絶縁材料からなる被覆部材３５で被覆することにより形成される。
このような構成を有することから、絶縁性を高めつつ、電柱被覆シート１の強度を上げることができる。
【００３５】
円筒状シート部３は、表裏繋合部３６ａを、該表裏繋合部を挟んだ左側または右側のいずれか一方側の非繋合部と重畳させた繋合重畳部３６を形成し、被覆部材３５により、繋合重畳部３６を被覆することにより形成される。
このような構成を有することから、より絶縁性を向上させることができる。
【００３６】
第３円周部３３と連接し、第３円周部３３の円周の長さと略同等の長さを有する非円筒状シート部５を有する。
このような構成を有することから、電柱Ａの頂部付近だけではなく、電柱Ａの下方も絶縁することが可能となる。
【００３７】
第１円周部３１には、被覆した前記電柱の頭部の内側を被覆するための余裕部（＝第１円周部３１に該当）を有する。
このような構成を有することから、異なる径の電柱Ａにも同一の電柱被覆シート１を使用することができる。
【００３８】
電柱被覆シート１は、絶縁材料からなるシートにより形成され、電柱の頭部を少なくとも被覆するための電柱被覆シート１であって、電柱被覆シート１は、円筒形状を有する円筒状シート部３と、円筒状シート部３と連接する非円筒状シート部５と、からなる。
このような構成を有することから、より高性能の電柱保護用品を提供することが可能となる。
【００３９】
本発明の、構造、材料、各部材の連結、化学物質、などは、本発明の要旨を変更しない範囲で、様々に変更可能である。
材質も、自由に選択することが可能である。
例えば、２つ以上の部材を１つにすることも可能であるし、逆に、１つの部材を２つ以上の別の部材から構成して接続することも可能である。
また、上記実施形態は、あくまでも、現在のところの最良の形態の１つにすぎない。
また、制御などは、より上位の制御部分によって制御されても良いし、より末端の制御部分によって制御されても良い。
また、制御の順序なども、所定の効果を有するのであれば、適宜変更可能である。
【符号の説明】
【００４０】
１      ：電柱被覆シート
３      ：円筒状シート部
５      ：非円筒状シート部
５ａ    ：裏側非円筒部
５ｂ    ：表側非円筒部
３１    ：第１円周部
３１ａ  ：小円周
３２    ：第２円周部
３２ａ  ：等円周
３３    ：第３円周部
３３ａ  ：大円周
３５    ：被覆部材
３５ａ  ：下側繋合部
３５ｂ  ：表側繋合部
３５ｃ  ：上側繋合部
３５ｄ  ：裏側繋合部
３６    ：繋合重畳部
３６ａ  ：表裏繋合部
３７    ：電柱被覆シート頂部
３７ａ  ：電柱被覆シート下側部
３８    ：折畳部
３９    ：カット部
Ａ      ：電柱
Ｂ      ：電線
【図１】
2019157510.tif 000003
【図２】
2019157510.tif 000004
【図３】
2019157510.tif 000005
【図４】
2019157510.tif 000006
【図５】
2019157510.tif 000007